(57)【要約】【課題】可能な限り上階において床レベルを上げることなく排水管を設置可能な洗面化粧台を提供する。【解決手段】洗面化粧台１は、箱体のキャビネット部２と、キャビネット部の上部に設けられた洗面ボウル３と、キャビネット部の下方に設けられキャビネット部を支持し、両端部及び背面のうち少なくともいずれかに開口６が形成された中空の台座部４と、洗面ボウルから台座部まで一旦延び、台座部の中空部８において横引きされて、台座部の開口を経由して躯体側排水管に連通する、排水用の排水管部１０と、を備える。【選択図】図１
2020048996.tif 000002
【特許請求の範囲】
【請求項１】
箱体のキャビネット部と、
前記キャビネット部の上部に設けられた洗面ボウルと、
前記キャビネット部の下方に設けられ前記キャビネット部を支持し、両端部及び背面のうち少なくともいずれかに開口が形成された中空の台座部と、
前記洗面ボウルから前記台座部まで一旦延び、前記台座部の中空部において横引きされて、前記台座部の前記開口を経由して躯体側排水管に連通する、排水用の排水管部と、
を備えることを特徴とする、洗面化粧台。
【請求項２】
前記洗面化粧台は設備ユニットに配置され、前記設備ユニットは、基準高さの架構面を有する標準領域と前記基準高さより低い高さの架構面を有する低面領域とから構成され、前記洗面化粧台は、前記標準領域と前記低面領域とに亘って配置されるか、又は前記標準領域のみに配置されることを特徴とする、請求項１に記載の洗面化粧台。
【請求項３】
前記台座部は前記キャビネット部の前面における横方向の全幅に亘って形成されることを特徴とする、請求項１又は２に記載の洗面化粧台。
【請求項４】
前記キャビネット部は、前記キャビネット部内において前面側に配置される収納部と、前記キャビネット部内における背面側に配置され、前記排水管部が通る配管スペースとを備え、前記配管スペースと前記台座部の中空部とは連通していることを特徴とする、請求項１から３のいずれか一項に記載の洗面化粧台。
【請求項５】
前記台座部の前面は、前記キャビネット部の前面より背面側に位置され、前記キャビネット部の底面と床面との間に空間が設けられることを特徴とする、請求項１から４のいずれか一項に記載の洗面化粧台。
【請求項６】
前記キャビネット部の前面における横方向の長さは９００ｍｍ以上であることを特徴とする、請求項１から５のいずれか一項に記載の洗面化粧台。
【請求項７】
前記キャビネット部の背面と前記台座部の背面とは面一となるよう形成され、前記台座部の背面から前面までの長さは、前記キャビネット部の背面から前面までの長さの半分となるよう形成されることを特徴とする、請求項１から６のいずれか一項に記載の洗面化粧台。
【請求項８】
前記キャビネット部の背面と前記台座部の背面とは面一となるよう形成され、前記台座部の背面から前面までの長さは１００ｍｍ〜３００ｍｍであることを特徴とする、請求項１から７のいずれか一項に記載の洗面化粧台。
【発明の詳細な説明】
【技術分野】
【０００１】
本発明は洗面化粧台に係り、特に集合住宅等の住居に設置される洗面化粧台に関する。
【背景技術】
【０００２】
従来、洗面化粧台を設置する場合、洗面ボウルから延びる排水管を床下まで延ばし、床下において所定の排水勾配で横引きすることにより、パイプスペース内の躯体側排水管と連通していた（例えば特許文献１参照）。また、近年では、洗面化粧台を二人同時に利用できるよう、例えば図７に示す間口の広い洗面化粧台１０１が設置されるようになった。洗面化粧台１０１は箱型のキャビネット１０２と、その上部に設けられた洗面ボウル１０３を備え、キャビネット１０２の上方には三面鏡付のキャビネット１０９が設置される。洗面化粧台１０１の天板１０７は全幅に亘って形成される。また、キャビネット１０２の側方に椅子１０５を収納するための空間である収納部１０８が形成される。図７において点線で示すように、排水管部１１０は洗面ボウル１０３から床１０４の下まで延び、さらに横引きされてパイプスペース１３４内の躯体側の排水管（図示しない）に連通される。
【先行技術文献】
【特許文献】
【０００３】
【特許文献１】特開２００２−１０９３６号公報
【発明の概要】
【発明が解決しようとする課題】
【０００４】
横引きされる排水管部１１０は、例えば１／５０の排水勾配で取り付けられるため、洗面ボウル１０３とパイプスペース１３４内の躯体側排水管とが離れていると、その距離に応じてある程度の高さが必要とされる。そのため、ワイド型洗面化粧台、例えば９００ｍｍ以上の幅を有するものを集合住宅の上階に設置する場合、浴室、洗面室及び便所等並びにそれらの床面が含まれる箇所（以下、設備ユニットと称する）の床レベルが他の居住空間の床レベルより一段高く上げられていた。
【０００５】
しかしながら、近年では設備ユニットの床レベルを他の居住空間と床レベルをほぼ同一にすることが望まれている。本発明は、上記の課題に鑑みてなされたものであり、その目的とするところは、可能な限り上階において床レベルを上げることなく排水管を設置可能な洗面化粧台を提供することである。
【課題を解決するための手段】
【０００６】
前記課題は、箱体のキャビネット部と、前記キャビネット部の上部に設けられた洗面ボウルと、前記キャビネット部の下方に設けられ前記キャビネット部を支持し、両端部及び背面のうち少なくともいずれかに開口が形成された中空の台座部と、前記洗面ボウルから前記台座部まで一旦延び、前記台座部の中空部において横引きされて、前記台座部の前記開口を経由して躯体側排水管に連通する、排水用の排水管部と、を備えることを特徴とする洗面化粧台により解決される。
【０００７】
上述した本発明の洗面化粧台は、洗面ボウルから延びる排水管部を台座部の中空部において横引きする又は背面に向けて配置することが可能である。排水管部を床下に配置することなく、排水管部と躯体側排水管とを接続させることができるため、床レベルを上げることなく洗面化粧台を設置することができる。
【０００８】
また、上記の洗面化粧台が設置される設備ユニットは、基準高さの架構面を有する標準領域と前記基準高さより低い高さの架構面を有する低面領域とから構成され、前記洗面化粧台は、前記標準領域と前記低面領域とに亘って配置されるか、又は前記標準領域のみに配置されるとよい。これにより、低面領域を広げることなく、洗面化粧台を設置することができる。
【０００９】
また、上記の洗面化粧台において、前記台座部は前記キャビネット部の前面における横方向の全幅に亘って形成されるとよい。全幅に亘って形成することにより、洗面台化粧台の両端部及び背面のうちどれかに躯体側排水管が位置しても台座部において排水管部を横引きすることができる。
【００１０】
また、上記の洗面化粧台において、前記キャビネット部は、前記キャビネット部内において前面側に配置される収納部と、前記キャビネット部内における背面側に配置され、前記排水管部が通る配管スペースとを備え、前記配管スペースと前記台座部とは連通してよい。排水管部を通る配管スペースを設けることにより、排水管部を収納部と交差することなく設けることができる。
【００１１】
また、上記の洗面化粧台において、前記台座部の前面は、前記キャビネット部の前面より背面側に位置され、前記キャビネット部の底面と床面との間に空間が設けられてよい。これにより、キャビネット部が浮遊したイメージの意匠とすることができ、また、キャビネット部の下に体重計等の物を収納することができる。
【００１２】
また、上記の洗面化粧台において、前記キャビネット部の前面における横方向の長さは９００ｍｍ以上であってよい。これにより二人同時に洗面化粧台を利用することができる。
【００１３】
また、上記の洗面化粧台において、前記キャビネット部の背面と前記台座部の背面とは面一となるよう形成され、前記台座部の背面から前面までの長さは、前記キャビネット部の背面から前面までの長さの半分となるよう形成されてよい。これにより、台座部はキャビネット部を支持しつつ、キャビネット部の底面と床面との間に体重計等の物を収納することができる。
【００１４】
また、上記の洗面化粧台において、前記キャビネット部の背面と前記台座部の背面は面一となるよう形成され、前記台座部の背面から前面までの長さは１００ｍｍ〜３００ｍｍであってよい。
【発明の効果】
【００１５】
本発明によれば、洗面化粧台の排水管部を床下に配置することなく、排水管部と躯体側排水管とを接続させることができ、可能な限り上階において床レベルを上げることなく排水管を設置可能な洗面化粧台を提供することができる。
【図面の簡単な説明】
【００１６】
【図１】本発明の一実施形態に係る洗面化粧台を示す正面図である。
【図２】洗面化粧台の排水管部の設置状況を示す、図１のII―II線に沿った断面図である。
【図３】排水管部の設置状況を示す図２のIII-III線に沿った部分拡大断面図である。
【図４】排水管部の設置状況を示す図２のIV-IV線に沿った部分拡大断面図であり、建物躯体側排水管が通るパイプスペースと連通した状態を示す断面図である。
【図５】排水管部の設置状況の別例を示す部分拡大断面図である。
【図６】（ａ）〜（ｈ）は本発明の洗面化粧台を設備ユニットに配置した例を示す平面図である。
【図７】従来の洗面化粧台を示す正面図である。
【発明を実施するための形態】
【００１７】
以下、本発明の一実施形態(以下、本実施形態)に係る洗面化粧台について図１〜図６を参照しながら説明する。
【００１８】
本実施形態の洗面化粧台１は、図１に示すように、箱体のキャビネット部２と、キャビネット部２の上部に洗面ボウル３が設けられる。洗面ボウル３は後述する天板７と一体になっていてもよい。キャビネット部２の下方には、キャビネット部２を床面４０に接地して支持する台座部４が設けられる。台座部４の内部は中空に形成される。
【００１９】
洗面ボウル３の底部には排水用の排水管部１０が接続される。排水管部１０は、図２〜図４に示すように、トラップ１１を経由して台座部４まで一旦延びるよう設置される。排水管部１０は、台座部４の中空部８において横引きされ台座部４の端部５に形成された開口６を経由して、隣接するパイプスペース３４内の図示しない躯体側排水管に連通する。
【００２０】
図１に示す、洗面化粧台１は間口の長さＬ、すなわち横方向の長さＬが例えば１２６６ｍｍであり、洗面化粧台１の全幅に亘って天板７が設けられる。天板７が設けられることで、二人同時に洗面化粧台１を利用することができる。洗面化粧台１の横方向の長さＬは９００ｍｍ以上、好ましくは１２００ｍｍ以上あるのが望ましい。
【００２１】
図７に示す従来の洗面化粧台１０１では、天板１０７の下方に椅子１０５を収容するための空間が設けられていた。そのため、洗面化粧台１０１のキャビネット部１０２の内部を利用して、排水管部１１０を横引きすることができなかった。本実施形態の洗面化粧台１は、洗面ボウル３だけでなく天板７の下方にも引出し等を備える収納部２１を設け、洗面化粧台１の全幅に亘ってキャビネット部２を設けている。そして、図１、図３及び図４に示すように、台座部４は、キャビネット部２を床面４０から支持するようキャビネット部２の前面における横方向の全幅に亘って形成される。全幅に亘って形成することにより、台座部４の中空部８において、排水管部１０をパイプスペース３４に向かって矢印Ｅ方向に横引きして、台座部４の端部５に形成した開口６に排水管部１０を通すことができる。
【００２２】
本実施形態の洗面化粧台１は、図２に示すように、キャビネット部２の背面２ａと台座部４の背面４ａとは面一となるよう形成され、洗面化粧台１の背面を形成する。洗面化粧台１の背面は壁に向けて配置される。本実施形態のキャビネット部２の奥行の長さ、すなわち背面２ａから前面２ｂまでの長さＤ１は例えば４１５ｍｍで作製されている。また、台座部４の奥行の長さ、すなわち台座部４の背面４ａから前面４ｂまでの長さＤ２は例えば２１０ｍｍで作製されている。台座部４の奥行の長さＤ２は、キャビネット部２の奥行Ｄ１の半分の長さ±１００ｍｍ、好ましくは奥行Ｄ１の半分の長さ±５０ｍｍとなるよう作製されてよい。例えばキャビネット部２の奥行Ｄ１が４００ｍｍである場合、台座部４の背面４ａから前面４ｂまでの長さＤ２は、２００ｍｍ±１００ｍｍ（１００〜３００ｍｍ）、好ましくは２００ｍｍ±５０ｍｍ（１５０〜２５０ｍｍ）であるのがよい。また、本実施形態の台座部４の高さＨは例えば１８０ｍｍで作製されるが、排水勾配を考慮すると台座部４の高さＨは１５０ｍｍ以上あるのがよい。それにより、キャビネット部２が浮遊したイメージの意匠とすることができるとともに、キャビネット部２の下に空間を確保できるので、体重計又はその他の物等を収納することができる。
【００２３】
また、キャビネット部２は、図２及び図４に示すように、キャビネット部２内において前面側に配置される収納部２１と、背面側に配置され排水管部１０が通る配管スペース２２とを備え、配管スペース２２と台座部４の中空部８とは連通している。図４に示すように配管スペース２２では、給湯管１４及び給水管１５が排水管部１０と干渉なしで交差できる。収納部２１と配管スペース２２とを分けることで排水管部１０は収納部２１と交差することなく設置できる。
【００２４】
図３に示す洗面化粧台１では、図に向かって右側に配置されたパイプスペース３４に向けて、排水管部１０は矢印Ｅ方向に横引きされていたが、図５に示すようにパイプスペース３４ａが、図に向かって左側にある場合、排水管部１０を矢印Ｆ方向に横引きして、端部５ａの開口６ａを通してパイプスペース３４ａ内の躯体側排水管に連通してよい。また、図示しないがパイプスペースが、洗面化粧台１の背面側にある場合、排水管部１０を通す開口を台座部４の背面に作成し、その背面の開口を通して横引きし、躯体側排水管に連通してよい。
【００２５】
上述したように本実施形態の洗面化粧台１は、排水管部１０を床下に設置することなく躯体側排水管に連通させることができる。そのため、浴室及び洗面室等が設けられる設備ユニットにおいて、従来の洗面化粧台より自由度を持たせて洗面化粧台１を配置することが可能になる。従来の設備ユニットでは浴室を設けるために全面的に架構面（横架材によって囲まれる面）の高さが低く作成され、洗面化粧台や洗濯機等から延びる排水管を設けるために床レベルを上げた部分が設けられていた。
【００２６】
図６（ａ）〜（ｈ）を用いて洗面化粧台１を設備ユニット３０ａ〜３０ｈに設置した例を説明する。設備ユニット３０ａ〜３０ｈは、集合住宅等において各住居に設けられるものであり、浴室３３、洗面室及び便所等とそれらの床面を備える。洗面室には洗濯機設置スペース３５及び本実施形態の洗面化粧台１が設置され、躯体側の排水管及び給水管、給湯管等が通るパイプスペース３４が配置される。また、図６（ａ）〜（ｈ）に示す設備ユニット３０ａ〜３０ｈは、他の居住領域と同じ高さである基準高さの架構面を有する一点鎖線で囲まれた標準領域３１と、基準高さより低い架構面を有する低面領域３２とを備える。また、躯体側排水管が設置されるパイプスペース３４は低面領域３２に配置される。なお、低面領域３２内において洗濯機設置スペース３５等がある床面は床上げされ、標準領域３１とほぼ同じ高さの床面が形成される。
【００２７】
図６（ａ）、（ｃ）、（ｅ）、（ｆ）、（ｇ）に示すように、本実施形態の洗面化粧台１は、設備ユニット３０ａ、３０ｃ、３０ｅ、３０ｆ、３０ｇにおいて標準領域３１にのみ配置され、洗面化粧台１から延びる排水管部１０は、隣接するパイプスペース３４に連通される。従来の洗面化粧台は床下に排水管を配置させるために低面領域３２に配置する必要があった。本実施形態の洗面化粧台１は、床下に排水管部１０を通すことなく、パイプスペース３４の排水管まで排水管部１０を延ばして設置することができるので、図に示すようにパイプスペース３４に隣接させて標準領域３１に配置することができる。
【００２８】
また、図６（ｂ）、（ｄ）に示す設備ユニット３０ｂ、３０ｄでは、低面領域３２においてパイプスペース３４の位置が標準領域３１から離れているが、このような場合でも、洗面化粧台１を標準領域３１と低面領域３２とに亘って配置することで、洗面化粧台１をパイプスペース３４に隣接させて設置することができる。
【００２９】
また、図６（ｈ）に示す設備ユニット３０ｈのように、パイプスペース３４が洗濯機設置スペース３５の奥にある場合は、洗面化粧台１の一部分を低面領域３２に配置しても排水管部１０を連通させることが難しい。そのため、図６（ｈ）に示すよう、低面領域３２の床下の空間を利用して、排水管部１０と連通する延長された排水管３７を設けパイプスペース３４まで延ばすことにより、排水管部１０と建物躯体側排水管とを連通させることができる。
【００３０】
上記実施形態では、主として本発明に係る洗面化粧台に関して説明した。ただし、上記形態は、本発明の理解を容易に理解するための一例に過ぎず、本発明を限定するものではない。本発明は、その趣旨を逸脱することなく、変更、改良され得ると共に、本発明にはその等価物が含まれることはもちろんである。
【符号の説明】
【００３１】
１  洗面化粧台
２  キャビネット部
３  洗面ボウル
４  台座部
５、５ａ  端部
６、６ａ  開口
７  天板
８  中空部
１０、１０ａ  排水管部
１１  排水トラップ
１４  給湯管
１５  給水管
２１  収納部
２２  配管スペース
３０ａ〜３０ｈ  設備ユニット
３１  標準領域
３２  低面領域
３３  浴室
３４、３４ａ  パイプスペース
３５  洗濯機設置スペース
３７  延長された排水管
４０  床面
４１  壁部
【図１】
2020048996.tif 000003
【図２】
2020048996.tif 000004
【図３】
2020048996.tif 000005
【図４】
2020048996.tif 000006
【図５】
2020048996.tif 000007
【図６】
2020048996.tif 000008
【図７】
2020048996.tif 000009